(57)【要約】【課題】複数の測定項目についての測定結果をユーザがより視認しやすい形態で提供することのできる生体情報測定装置を提供する。【解決手段】この生体情報測定装置１０は、生体情報について複数の測定項目の測定を行う本体測定部２０および把持測定部３０と、複数の測定項目のそれぞれについての測定結果を表示する表示部５０とを含む。そして、表示部５０への表示対象としない測定項目を非表示項目として、複数の測定項目の少なくとも１つを予め非表示項目として指定し、複数の測定項目の測定が終了したとき、非表示項目として指定されている測定項目の測定結果を表示部５０に表示しない。【選択図】図１
2011200459.tif 000002
【特許請求の範囲】
【請求項１】
生体情報について複数の測定項目の測定を行う測定部と、前記複数の測定項目のそれぞれについての測定結果を表示する表示部とを含む生体情報測定装置において、
前記表示部への表示対象としない測定項目を非表示項目として、前記複数の測定項目の少なくとも１つを予め前記非表示項目として指定し、前記複数の測定項目の測定が終了したとき、前記非表示項目として指定されている測定項目の測定結果を前記表示部に表示しない
ことを特徴とする生体情報測定装置。
【請求項２】
請求項１に記載の生体情報測定装置において、
前記複数の測定項目のそれぞれを前記非表示項目に指定するか否かをユーザが選択するための操作部を含む
ことを特徴とする生体情報測定装置。
【請求項３】
請求項１または２に記載の生体情報測定装置において、
少なくとも２つの測定項目が組み合わされた第１グループ、および少なくとも２つの測定項目が組み合わされ、かつ前記第１グループとは組み合わせの内容が異なる第２グループが予め用意され、前記複数の測定項目のそれぞれを前記表示部への表示対象とするか否かをユーザが選択するときの選択肢に前記第１グループおよび前記第２グループが含まれる
ことを特徴とする生体情報測定装置。
【請求項４】
請求項１〜３のいずれか一項に記載の生体情報測定装置において、
当該生体情報測定装置は、ユーザが把持するための把持測定部とユーザが載るための本体測定部とを含み、前記把持測定部に前記表示部が設けられるものであり、
前記把持測定部が前記本体測定部に取り付けられているとき、前記表示部に表示される測定項目の内容を自動的に変更する
ことを特徴とする生体情報測定装置。
【請求項５】
請求項４に記載の生体情報測定装置において、
前記把持測定部が前記本体測定部から取り外されているとき、ユーザによる操作部の操作に基づいて前記表示部に表示される測定項目の内容を切り替える
ことを特徴とする生体情報測定装置。
【発明の詳細な説明】
【技術分野】
【０００１】
本発明は、生体情報について複数の測定項目の測定を行う測定部と、複数の測定項目のそれぞれについての測定結果を表示する表示部とを含む生体情報測定装置に関する。
【背景技術】
【０００２】
上記生体情報測定装置としては、例えば特許文献１に記載のものが知られている。
この文献の生体情報測定装置では、複数の測定項目の測定を行い、全ての測定項目についての測定結果をレベルバーとして表示部に表示する。
【先行技術文献】
【特許文献】
【０００３】
【特許文献１】特開２００７−３１３０１９号公報
【発明の概要】
【発明が解決しようとする課題】
【０００４】
上記生体情報測定装置では、全ての測定項目の測定結果が表示部に表示されるため、ユーザが必要な情報を確認しにくい。
本発明はこのような課題に着目してなされたものであり、その目的は、複数の測定項目についての測定結果をユーザがより視認しやすい形態で提供することのできる生体情報測定装置を提供することにある。
【課題を解決するための手段】
【０００５】
本発明の生体情報測定装置は、生体情報について複数の測定項目の測定を行う測定部と、前記複数の測定項目のそれぞれについての測定結果を表示する表示部とを含む生体情報測定装置において、前記表示部への表示対象としない測定項目を非表示項目として、前記複数の測定項目の少なくとも１つを予め前記非表示項目として指定し、前記複数の測定項目の測定が終了したとき、前記非表示項目として指定されている測定項目の測定結果を前記表示部に表示しないことを特徴とする。
【０００６】
この生体情報測定装置において、前記複数の測定項目のそれぞれを前記非表示項目に指定するか否かをユーザが選択するための操作部を含むことが好ましい。
この生体情報測定装置において、少なくとも２つの測定項目が組み合わされた第１グループ、および少なくとも２つの測定項目が組み合わされ、かつ前記第１グループとは組み合わせの内容が異なる第２グループが予め用意され、前記複数の測定項目のそれぞれを前記表示部への表示対象とするか否かをユーザが選択するときの選択肢に前記第１グループおよび前記第２グループが含まれることが好ましい。
【０００７】
この生体情報測定装置において、当該生体情報測定装置は、ユーザが把持するための把持測定部とユーザが載るための本体測定部とを含み、前記把持測定部に前記表示部が設けられるものであり、前記把持測定部が前記本体測定部に取り付けられているとき、前記表示部に表示される測定項目の内容を自動的に変更することが好ましい。
【０００８】
この生体情報測定装置において、前記把持測定部が前記本体測定部から取り外されているとき、ユーザによる操作部の操作に基づいて前記表示部に表示される測定項目の内容を切り替えることが好ましい。
【発明の効果】
【０００９】
本発明によれば、複数の測定項目についての測定結果をユーザがより視認しやすい形態で提供することのできる生体情報測定装置を提供することができる。
【図面の簡単な説明】
【００１０】
【図１】本発明の生体情報測定装置の一実施形態について、（ａ）は本体測定部に把持測定部が取り付けられた状態を示す斜視図、（ｂ）は本体測定部から把持測定部が取り外された状態を示す斜視図。
【図２】同実施形態の生体情報測定装置について、その電気的構成を示すブロック図。
【図３】同実施形態の生体情報測定装置について、（ａ）は把持測定部を使用して生体情報を測定するときの状態を示す動作図、（ｂ）は把持測定部を使用せずに生体情報を測定するときの状態を示す動作図。
【図４】同実施形態の生体情報測定装置について、生体情報の測定手順を示すフローチャート。
【図５】同実施形態の生体情報測定装置について、各測定項目の表示属性の初期設定を示すテーブル。
【図６】同実施形態の生体情報測定装置について、個別選択モードのときの表示部の表示内容を示す模式図。
【図７】同実施形態の生体情報測定装置について、（ａ）はグループモードのときの表示部の表示内容を示す模式図、（ｂ）は測定項目のグループとその指標との関係を示すテーブル。
【発明を実施するための形態】
【００１１】
図１〜図７を参照して、本発明の一実施形態について説明する。
図１に、生体情報測定装置１０の構成を示す。図１（ａ）は、把持測定部３０が本体測定部２０に取り付けられた状態を示す。また図１（ｂ）は、同把持測定部３０が同本体測定部２０から取り外された状態を示す。
【００１２】
生体情報測定装置１０は、生体情報の測定のためにユーザの両足が載せられる本体測定部２０と、生体情報の測定のためにユーザにより把持される把持測定部３０とを含む。本体測定部２０と把持測定部３０とは通信用のコード２８により互いに接続されている。
【００１３】
本体測定部２０には、複数の電極等を有する載置部２１と、生体情報測定装置１０の電源をオンおよびオフするための電源スイッチ２６と、把持測定部３０を収容するためのホルダ２７とが設けられている。ホルダ２７の壁面には、把持測定部３０が取り外されているか否かを検知するための検知スイッチ２９が設けられている。
【００１４】
載置部２１には、インピーダンスを測定するための足電極２２が設けられている。足電極２２としては、生体に電流を供給するための一対の足通電電極２３、および生体内を流れる電流の電圧を測定するための一対の足測定電極２４が設けられている。各電極２３，２４の下方には荷重センサ２５が設けられている。
【００１５】
把持測定部３０には、生体情報の測定時にユーザにより把持される把持部３１と、生体情報の測定のためにユーザにより操作されるとともに測定結果が表示される入出力部３２とが設けられている。
【００１６】
把持部３１には、生体のインピーダンスを測定するための手電極３３が設けられている。手電極３３としては、生体に電流を供給するための一対の手通電電極３４、および生体内を流れる電流の電圧を測定するための一対の手測定電極３５が設けられている。
【００１７】
入出力部３２には、生体情報の測定のために必要となる情報の入力等のためにユーザにより操作される入力部４０と、生体情報の測定結果等を表示する表示部５０とが設けられている。
【００１８】
入力部４０には、ユーザ毎に予め登録されたユーザ情報を呼び出すためのユーザ選択ボタン４１、およびユーザが各種の情報を入力するときに数値等の項目の内容を変更ための表示選択ボタン４２が設けられている。またこの他に、数値等の項目の内容を変更する状態において選択されている内容を決定するための決定ボタン４３、および所定の測定項目の測定結果を表示部５０に表示するか否かを変更するための属性変更ボタン４４が設けられている。またこの他に、表示部５０に表示される測定項目の測定結果を切り替えるための切替ボタン４５が設けられている。なお、ユーザによる各ボタンの操作態様について、「ボタンを操作する」および「ボタンを長押しする」旨の動作は、それぞれ「短時間だけボタンを押し下げる動作」および「前者よりも長い時間にわたりボタンを押し下げた状態を維持する動作」を示す。
【００１９】
図２を参照して、生体情報測定装置１０の電気的構成について説明する。
生体情報測定装置１０は、生体情報の測定を行うための電極等を含む計測部７０と、入力部４０から送信された情報等に基づく演算、ならびに計測部７０および表示部５０の動作制御を行う制御部６０とを含む。またこの他に、制御部６０の演算結果が記憶されるとともに制御部６０での演算に必要となる計算式等が予め記憶された記憶部８０を含む。制御部６０には、各種の演算を行う演算部６１が設けられている。
【００２０】
入力部４０および計測部７０および記憶部８０と制御部６０との間では次のように信号の送受信が行われる。すなわち制御部６０には、入力部４０により入力されたユーザ情報等、荷重センサ２５の検出値、足電極２２の検出値および手電極３３の検出値が入力される。また記憶部８０には、制御部６０に入力されたユーザ情報等および各検出値、ならびに制御部６０の演算結果のうち、生体情報の測定等のために必要なものが入力および記憶される。また、記憶部８０に記憶されたデータ、および記憶部８０に予め記憶されている演算式等のデータは必要に応じて制御部６０により読み出される。また足電極２２および手電極３３には、通電のための指令信号が制御部６０から送信される。また表示部５０には、表示のための指令信号が制御部６０から送信される。
【００２１】
演算部６１は、生体情報について複数の測定項目の演算を行う。すなわち、図５に示される「体重」、「ＢＭＩ」、「体脂肪率」、「筋肉レベル」、「基礎代謝」、「内臓脂肪レベル」、「皮下脂肪率」、「骨量」、「体組成年齢」、「バランス年齢」、「重心バランス」を算出する。
【００２２】
各測定項目は以下のように算出される。なお、ここでは各測定項目の算出に用いられる主要な項目のみを示している。実際には、さらに別の項目を含めて各測定項目の算出を行うことができる。
・ＢＭＩは、体重の演算値およびユーザの身長データに基づいて算出される。
・体脂肪率は、インピーダンスの演算値に基づいて算出される。
・筋肉レベルは、体脂肪率およびインピーダンスの演算値に基づいて算出される。
・基礎代謝は、体重および体脂肪率の演算値に基づいて算出される。
・内臓脂肪レベルは、体脂肪率の演算値に基づいて算出される。
・皮下脂肪率は、インピーダンスの演算値に基づいて算出される。
・骨量は、インピーダンスの演算値に基づいて算出される。
・体組成年齢は、体脂肪率、基礎代謝および筋肉レベルの演算値に基づいて算出される。
・バランス年齢は、荷重センサ２５の出力値に基づいて算出される。
・重心バランスは、荷重センサ２５の出力値に基づいて算出される。
【００２３】
バランス年齢および重心バランスの内容について補足する。
バランス年齢は、ユーザのバランスをとる能力を評価するための測定項目であり、次の手順で算出される。まず、荷重センサ２５の出力値に基づいて測定時の重心位置の変化が記憶される。次に、単位時間あたりの重心位置の変化量と標準的な変化量との差が算出される。そして、予め定められた重心位置の変化量の差とバランス年齢との関係に基づいて、上記算出した変化量の差に応じたバランス年齢が算出される。
【００２４】
重心バランスは、ユーザの重心位置が標準的な重心に対してどの程度ずれているかを評価するための測定項目であり、次の手順で算出される。まず、荷重センサ２５の出力値に基づいて重心位置の変化が記憶される。次に、重心位置の変化からユーザの重心位置が推定される。そして、推定した重心位置と標準的な重心位置との差に応じて重心バランスが算出される。
【００２５】
図３を参照して、生体情報を測定するときのユーザの状態について説明する。
図３（ａ）に、把持測定部３０を使用して生体情報を測定するとき、すなわち第１の測定方法により生体情報を測定するときのユーザの状態を示す。このとき、ユーザは次の順序で生体情報を測定する。
【００２６】
立位の状態で載置部２１の上に載る。このとき、両足のつま先がそれぞれ足通電電極２３の上に、また両足の踵がそれぞれ足測定電極２４の上に位置するように両足の位置を調整する。
【００２７】
上記の動作の後、立位の状態で両方の手のそれぞれに把持測定部３０の把持部３１を把持し、腕を水平に上げてひじをまっすぐ前に伸ばす。このとき、把持部３１の手電極３３が手に接触するように把持部３１を把持する。
【００２８】
生体情報測定装置１０により測定が終了したことを示す旨が報知された後、表示部５０の表示内容から生体情報の測定結果を確認する。また、表示部５０に表示されていない別の測定結果を確認したいときには、切替ボタン４５を操作して表示部５０の表示内容を切り替える。
【００２９】
図３（ｂ）に、把持測定部３０を使用せずに生体情報を測定するとき、すなわち第２の測定方法により生体情報を測定するときのユーザの状態を示す。このとき、ユーザは次の順序で生体情報を測定する。
【００３０】
立位の状態で載置部２１の上に載る。このとき、両足のつま先がそれぞれ足通電電極２３の上に、また両足の踵がそれぞれ足測定電極２４の上に位置するように両足の位置を調整する。
【００３１】
生体情報測定装置１０により測定が終了したことを示す旨が報知された後、表示部５０の表示内容から生体情報の測定結果を確認する。この場合には、表示部５０に表示される測定項目の内容が一定時間毎に自動的に切り替えられる。これにより、ユーザは切替ボタン４５を操作しなくとも各測定項目の測定結果を確認することができる。
【００３２】
図４を参照して、生体情報の測定手順について説明する。
ステップＳ１１０では、ユーザにより電源スイッチ２６がオフからオンに切り替えられる。
【００３３】
ステップＳ１２０では、対応するユーザ情報がすでに登録されているユーザ選択ボタン４１が操作されたか、または新たにユーザ登録をするためのユーザ選択ボタン４１の操作が行われたかの確認が制御部６０により行われる。
【００３４】
ユーザ情報がすでに登録されているユーザ選択ボタン４１が操作されたとき、ステップＳ１４０の作業が行われる。一方、新たにユーザ登録をするためのユーザ選択ボタン４１の操作が行われたとき、すなわちユーザ選択ボタン４１の長押しまたは対応するユーザ情報が存在しないユーザ選択ボタン４１の操作が行われたとき、ステップＳ１３０の作業が行われる。
【００３５】
ステップＳ１３０では、ユーザによりユーザ情報の登録が行われる。ここでは、ユーザ情報としてユーザを識別するための情報、すなわち年齢、性別および身長が入力される。
ステップＳ１４０では、各測定項目についての表示属性の設定がユーザにより行われる。測定項目の表示属性とは、当該測定項目の測定結果を表示部５０に表示することを許可するか、または表示部５０に表示することを禁止するかを定めるものであり、各測定項目に対して個別に設定される。
【００３６】
表示属性の設定には、「表示」および「非表示」の２つが用意されている。表示属性が表示に設定されている測定項目である「表示項目」については、生体情報の測定終了後にその測定結果を表示部５０に表示することが許可される。一方、表示属性が非表示に設定されている測定項目である「非表示項目」については、生体情報の測定終了後にその測定結果を表示部５０に表示することが禁止される。なお、以降において示す「表示項目に指定する」および「非表示項目に指定する」旨の記載は、それぞれ「表示属性を表示に設定する」および「表示属性を非表示に設定する」と同じ内容を意味する。
【００３７】
各測定項目のうちの所定の測定項目については、表示属性が予め非表示に設定されている。ユーザが各測定項目の表示属性の変更を必要としないときには、所定の操作によりステップＳ１４０の作業が省略される。
【００３８】
ステップＳ１５０では、生体情報の測定のために必要な情報が全て登録されているか否かの確認が制御部６０により行われる。ここでは、ユーザ選択および表示属性の設定が完了しているか否かを問うメッセージが表示部５０にされる。このメッセージに対して、完了していない旨の回答がユーザにより選択されたとき、ステップＳ１２０の作業が再び行われる。一方、完了している旨の回答がユーザにより選択されたとき、ステップＳ１６０の作業が行われる。
【００３９】
ステップＳ１６０では、体重の測定および重心位置の測定が本体測定部２０により行われる。このときに測定された体重は、体重についての今回の測定結果として記憶部８０に記憶される。また、重心位置は演算部６１によりバランス年齢および重心バランスを算出するための参照データとして記憶部８０に記憶される。
【００４０】
ステップＳ１７０では、インピーダンスの測定が本体測定部２０または把持測定部３０により行われる。ユーザが把持測定部３０を把持していないとき、足電極２２を用いてインピーダンスの測定が行われる。ユーザが把持測定部３０を把持しているとき、足電極２２および手電極３３の両方を用いてインピーダンスの測定が行われる。インピーダンスの測定は以下の手順で行われる。
【００４１】
ユーザが把持測定部３０を把持していないときには、足通電電極２３により生体への通電が行われ、足測定電極２４により生体を流れる電流の電圧が測定される。そして、演算部６１により測定電圧に基づいてインピーダンスが算出される。
【００４２】
ユーザが把持測定部３０を把持しているときには、足通電電極２３および手通電電極３４により生体への通電が行われ、足測定電極２４および手測定電極３５により生体を流れる電流の電圧が測定される。そして、演算部６１により測定電圧に基づいてインピーダンスが算出される。
【００４３】
ステップＳ１８０では、予め登録されているユーザ情報、体重、重心位置およびインピーダンスの測定結果に基づいて、各測定項目についての数値またはレベルが算出される。すなわち、「ＢＭＩ」、「体脂肪率」、「筋肉レベル」、「基礎代謝」、「内臓脂肪レベル」、「皮下脂肪率」、「骨量」、「体組成年齢」、「バランス年齢」および「重心バランス」を示す数値またはレベルが算出される。
【００４４】
ステップＳ１９０では、各測定項目の表示属性が表示および非表示のいずれに設定されているか、すなわち各測定項目のそれぞれが表示項目および非表示項目のいずれに指定されているかの確認が制御部６０により行われる。
【００４５】
ステップＳ２００では、ユーザにより切替ボタン４５が操作される毎に表示される測定項目の内容が切り替えられる。このとき、表示項目として指定されている測定項目の測定結果については表示部５０への表示が許可される。一方、非表示項目として指定されている測定項目の測定結果については表示部５０への表示が禁止される。
【００４６】
図５〜図７を参照して、非表示項目の初期設定および変更手順について説明する。
図５に、各測定項目のそれぞれの非表示項目についての初期設定を示す。
・「体重」、「ＢＭＩ」、「体脂肪率」、「筋肉レベル」、「基礎代謝」、「内臓脂肪レベル」および「皮下脂肪率」は、初期設定において表示項目として指定されている。
・「骨量」、「体組成年齢」、「バランス年齢」および「重心バランス」は、初期設定において非表示項目として指定されている。
【００４７】
従って、生体情報の測定手順のステップＳ１４０（図４参照）で各測定項目の表示属性の変更が行われないときには、ステップＳ２００の測定結果の表示において「骨量」、「体組成年齢」、「バランス年齢」および「重心バランス」が表示されない。
【００４８】
ユーザは、属性変更ボタン４４の操作により表示属性の設定内容を変更することができる。生体情報測定装置１０には、表示属性の設定内容を変更するためのモードとして、測定項目毎に個別に表示属性の設定を行う個別選択モードと、複数の測定項目のグループを含めて表示属性の設定を行うグループモードとが用意されている。
【００４９】
図６に、個別選択モードの作業手順の一例を示す。
ユーザは、次の手順で個別選択モードによる表示属性の変更を行う。
（手順１）属性変更ボタン４４を操作する。これにより、個別選択モードが開始される。このとき、表示属性の変更が可能な測定項目として、最初に表示される「体重」の測定項目が点滅する。
【００５０】
（手順２）表示属性の変更対象とする測定項目を変更したいとき、切替ボタン４５を操作して希望する測定項目を表示させる。ここでは、表示される測定項目の切り替え順序が図５の測定項目の列における上から下の順に設定されている。
【００５１】
（手順３）例えば、「筋肉レベル」の測定項目を表示項目に指定したいとき、「筋肉レベル」の項目が点滅している状態で決定ボタン４３を操作する。一方、「筋肉レベル」の測定項目を非表示項目に指定したいとき、「筋肉レベル」の項目が点滅している状態で決定ボタン４３を長押しする。
【００５２】
（手順４）例えば、「皮下脂肪率」の測定項目を表示項目に指定したいとき、「皮下脂肪率」の項目が点滅している状態で決定ボタン４３を操作する。一方、「皮下脂肪率」の測定項目を非表示項目に指定したいとき、「皮下脂肪率」の項目が点滅している状態で決定ボタン４３を長押しする。
【００５３】
（手順５）その他の測定項目についても表示属性を変更する必要があるときには、上記（手順２）〜（手順４）に準じた手順で表示属性を変更する。各測定項目についての表示属性の変更が終了したとき、属性変更ボタン４４を操作して個別選択モードを終了する。
【００５４】
上記の手順において設定された各測定項目の表示属性は、ユーザ情報と関連付けられたうえで記憶部８０に記憶される。このため、次回の生体情報の測定時においては、ユーザ選択ボタン４１によりユーザが選択されたとき、同ユーザに応じた各測定項目の表示属性の設定内容が読み出される。
【００５５】
個別選択モードにおいては、ユーザの操作により全ての測定項目の表示属性を表示に設定することもできる。全ての測定項目の表示属性が表示に設定されたときには、生体情報の測定の終了時、全ての測定項目を表示部５０に表示することが許可される。
【００５６】
図７（ａ）に、グループモードの作業手順の一例を示す。
グループモードにおいては、表示属性の変更をグループ単位で行うために測定項目のグループが予め設定されている。すなわち、図７（ｂ）に示されるように、「体重」および「体脂肪率」および「皮下脂肪率」の各測定項目からなる第１グループと、「体重」および「基礎代謝」および「筋肉レベル」の各測定項目からなる第２グループとが予め設定されている。
【００５７】
第１グループの測定項目の組み合わせは、生体の現在の肥満度を示す指標となる。例えば、体重に対する体脂肪率および皮下脂肪率のそれぞれの割合が高いときには、肥満気味または肥満の状態にあることが確認できる。
【００５８】
第２グループの測定項目の組み合わせは、今後の太りやすさを示す指標となる。例えば、体重に対する基礎代謝および筋肉レベルのそれぞれの割合が低いときには、今後に太りやすいと予測することができる。
【００５９】
ユーザは、次の手順でグループモードによる表示属性の変更を行う。
（手順１）属性変更ボタン４４を長押しする。これにより、グループモードが開始される。このとき、表示属性の変更が可能な測定項目のグループとして、最初に表示される第１グループの各測定項目すなわち「体重」および「体脂肪率」および「皮下脂肪率」が点滅する。
【００６０】
（手順２）表示属性の変更対象とする測定項目を変更したいとき、切替ボタン４５を操作して次のグループを表示させる。ここでは、表示される測定項目の切り替え順序が第１グループおよび第２グループの順に設定されている。
【００６１】
（手順３）第２グループの測定項目を表示項目に指定したいとき、第２グループの各測定項目が点滅している状態で決定ボタン４３を操作する。一方、第２グループの各測定項目を非表示項目に指定したいとき、第２グループの各測定項目が点滅している状態で決定ボタン４３を長押しする。
【００６２】
（手順４）第１グループの測定項目についても表示属性を変更する必要があるときには、上記（手順２）および（手順３）に準じた手順で表示属性を変更する。各グループについての表示属性の変更が終了したとき、属性変更ボタン４４を操作してグループモードを終了する。
【００６３】
上記の手順において設定された各測定項目の表示属性は、ユーザ情報と関連付けられたうえで記憶部８０に記憶される。このため、次回の生体情報の測定時においては、ユーザ選択ボタン４１によりユーザが選択されたとき、同ユーザに応じた各測定項目の表示属性の設定内容が読み出される。
【００６４】
本実施形態によれば、以下の効果を奏することができる。
（１）生体情報測定装置１０では、複数の測定項目の少なくとも１つを予め非表示項目として指定する。そして、複数の測定項目の測定が終了したとき、非表示項目として指定されていない測定項目を表示部５０に表示し、非表示項目として指定されている測定項目を表示部５０に表示しない。従って、測定項目の全てが常に表示部５０に表示される場合と比較して、表示部５０に表示される測定項目の数が少なくなるため、複数の測定項目についての測定結果をユーザがより視認しやすい形態で提供することができる。
【００６５】
（２）生体情報測定装置１０には、複数の測定項目のそれぞれを非表示項目に指定するか否かをユーザが選択するための入力部４０が設けられている。これにより、非表示項目の内容を予め設定されているものとは異なる内容に変更できるため、当該装置１０の使い勝手がより良いものになる。
【００６６】
（３）生体情報測定装置１０では、複数の測定項目のいずれを表示部５０への表示対象とするか否かを選択するときの選択肢として、図７（ｂ）に示される第１グループおよび第２グループが予め用意されている。これにより、ユーザが第１グループおよび第２グループの少なくとも一方を選択することにより、グループに含まれる複数の測定項目を一括して表示部５０への表示対象に指定できるため、当該装置１０の使い勝手がより良いものになる。
【００６７】
（４）生体情報測定装置１０では、現在の肥満度の指標となる測定項目の組み合わせを第１グループとして予め用意している。これにより、「体重」および「体脂肪率」および「皮下脂肪率」の測定項目の表示属性をユーザが個別に変更しなくとも、現在の肥満度が気になるユーザに対して上記各測定項目の測定結果を提供することができる。
【００６８】
（５）生体情報測定装置１０では、今後の太りやすさの指標となる測定項目の組み合わせを第２グループとして予め用意している。これにより、「体重」および「基礎代謝」および「筋肉レベル」の測定項目の表示属性をユーザが個別に変更しなくとも、今後の太りやすさが気になるユーザに対して上記各測定項目の測定結果を提供することができる。
【００６９】
（６）生体情報測定装置１０では、把持測定部３０が本体測定部２０に取り付けられているとき、生体情報の測定終了後において表示部５０に表示される測定項目の内容を自動的に変更する。これにより、表示部５０の表示内容を変更するためにユーザがかがむ必要がないため、当該装置１０の使い勝手がより良いものになる。
【００７０】
（７）生体情報測定装置１０では、把持測定部３０が本体測定部２０から取り外されているとき、生体情報の測定終了後において表示部５０に表示される測定項目の内容を切替ボタン４５の操作に基づいて変更する。これにより、ユーザの希望するタイミングで表示部５０に表示される測定項目の内容を変更できるため、当該装置１０の使い勝手をより良いものにすることができる。
【００７１】
（その他の実施形態）
本発明の実施態様は、上記実施形態にて例示した実施態様に限られるものではなく、例えば以下に示すように変更することもできる。また、以下に示される各変形例は、対応する実施形態にのみ適用されるものではなく、異なる変形例同士を互いに組み合わせて実施することもできる。
【００７２】
・上記実施形態では、グループモードにおいて測定項目のグループとして第１グループおよび第２グループを予め用意したが、これら第１グループおよび第２グループとは測定項目の組み合わせの内容が異なるグループをさらに用意することもできる。この場合、１つのグループに含める測定項目の数は３つに限られず、２または４以上にすることもできる。以下の（ａ）〜（ｄ）にその他の組み合わせの一例を示す。
（ａ）「体重」および「ＢＭＩ」のグループ。
（ｂ）「体脂肪率」、「皮下脂肪率」および「内臓脂肪レベル」のグループ。
（ｃ）「バランス年齢」および「重心バランス」のグループ。
（ｄ）「体重」、「筋肉レベル」および「骨量」のグループ。
【００７３】
・上記実施形態では、グループモードにおいて測定項目のグループの内容を予め設定したが、ユーザが測定項目のグループを設定することもできる。
・上記実施形態では、表示項目に指定されている測定項目の測定結果を表示部５０に表示することを許可し、非表示項目に指定されている測定項目の測定結果を表示部５０に表示することを禁止したが、これを以下のように変更することもできる。
（ａ）非表示項目に指定されている測定項目の測定結果を表示部５０に表示することを禁止し、非表示項目に指定されていない測定項目の測定結果を表示部５０に表示することを許可する構成に変更することもできる。この場合の表示属性の設定内容としては、「非表示」を有効にする内容と無効にする内容との２つが用意される。
（ｂ）表示項目に指定されていない測定項目の測定結果を表示部５０に表示することを禁止し、表示項目に指定されている測定項目の測定結果を表示部５０に表示することを許可する構成に変更することもできる。この場合の表示属性の設定内容としては、「表示」を有効にする内容と無効にする内容との２つが用意される。
【００７４】
・上記実施形態では、各測定項目についての表示属性の初期設定として図５に示される内容を初期設定を採用したが、初期設定においての各測定項目の表示属性の内容は同実施形態に例示した内容に限られるものではない。例えば以下の（ａ）〜（ｄ）のいずれか表示属性の初期設定とすることもできる。
（ａ）「体重」および「体脂肪率」を表示項目に指定し、その他の測定項目を非表示項目に指定する。
（ｂ）「体重」および「基礎代謝」を表示項目に指定し、その他の測定項目を非表示項目に指定する。
（ｃ）「体脂肪率」、「皮下脂肪率」および「内臓脂肪レベル」を表示項目に指定し、その他の測定項目を非表示項目に指定する。
（ｄ）「体重」、「筋肉レベル」および「骨量」を表示項目に指定し、その他の測定項目を非表示項目に指定する。
【００７５】
・上記実施形態では、把持測定部３０が本体測定部２０に取り付けられているとき、生体情報の測定終了後において表示部５０に表示される測定項目の内容を自動的に変更したが、切替ボタン４５の操作に基づいて変更することもできる。
【００７６】
・上記実施形態では、把持測定部３０が本体測定部２０から取り外されているとき、生体情報の測定終了後において表示部５０に表示される測定項目の内容を切替ボタン４５の操作に基づいて変更したが、自動的に変更することもできる。
【００７７】
・上記実施形態では、通電電極および測定電極を用いて生体のインピーダンスを測定し、この測定結果に基づいて生体情報の各測定項目の数値を演算したが、生体情報の測定方法を次のように変更することもできる。すなわち、光源および受光素子を用いて生体を伝播する光量を測定し、この測定結果に基づいて生体情報の各測定項目の数値を演算することもできる。この場合には、さらに皮下脂肪の厚みを測定することが可能となる。
【００７８】
・上記実施形態では、入出力部３２を把持測定部３０に設けたが、入出力部３２を本体測定部２０に設けることもできる。
・上記実施形態では、本体測定部２０および把持測定部３０を含めて生体情報測定装置１０を構成したが、本体測定部２０を省略した形態の生体情報測定装置１０とすることもできる。また、把持測定部３０を省略した形態の生体情報測定装置１０とすることもできる。
【００７９】
・上記実施形態では、ユーザが把持測定部３０を把持しているとき、足電極２２および手電極３３の双方を用いてインピーダンスの測定を行うが、手電極３３または足電極２２の一方のみを用いてインピーダンスの測定を行うこともできる。
【００８０】
・上記実施形態では、本体測定部２０内に制御部６０を設けたが、把持測定部３０内に制御部６０を設けることもできる。
・上記実施形態では、図５に示される各測定項目を測定しているが、これらの測定項目の少なくとも１つを測定項目から除外することもできる。
【００８１】
・上記各実施形態では、本体測定部２０と測定部３０との通信のためにコード２８を設けたが、コード２８省略して本体測定部２０と測定部３０とのそれぞれに電波、光などを用いたワイヤレスの通信機能をもたせることもできる。
【符号の説明】
【００８２】
１０…生体情報測定装置、２０…本体測定部（測定部）、３０…把持測定部（測定部）、４０…入力部（操作部）、５０…表示部。
【図１】
2011200459.tif 000003
【図２】
2011200459.tif 000004
【図３】
2011200459.tif 000005
【図４】
2011200459.tif 000006
【図５】
2011200459.tif 000007
【図６】
2011200459.tif 000008
【図７】
2011200459.tif 000009